(57)【要約】      （修正有）【課題】使いやすく、カムにより取付安定性を確保する電線保持具を提供する。【解決手段】電線が誘導部１０及び膨張部１１を避けて誘導部１２の上に置かれて下方に押されると、側板部９や誘導部１０が隔壁４の側に撓み、電線が収容部６に収容された後、側板部９や誘導部１２が隔壁４から離れる方向に復帰し、電線が誘導部１２を避けて誘導部１０の上に置かれて下方に押されると、側板部８及び誘導部１０が隔壁４の側に撓み、電線が収容部７に収容された後、側板部８及び誘導部１０が隔壁４から離れる方向に復帰する。取付部５が設置部材の取付孔に挿入されて、収容部２の底板部３が設置部材の取付孔の周りに接触し、取付部５の両側の横片部２２〜２３が設置部材の取付孔を貫通し、取付部５が９０度回されると、カム部２７〜３１が取付部５を設置部材の内側に引き込み、底板部３と横片部２２〜２３とが設置部材を密に挟む。【選択図】図２
0003187227.tif 000002
【実用新案登録請求の範囲】
【請求項１】
電線を収容するための上部と前部及び後部の開口した収容部が収容部の底板部から収容部の内部に突出した隔壁で左右に仕切られ、収容部の底板部には底板部から下方に突出した縦片部と縦片部の下部より両側に突出する横片部とを備えた取付部が設けられた電線保持具であり、電線保持具を取り付けるための設置部材には取付部を設置部材の外部から内部に直線的に挿入可能な取付孔が溝又は長孔として形成されており、取付部が設置部材の外部から取付孔に直線的に挿入されて、収容部の底板部が設置部材の取付孔の周りの設置箇所に接触し、取付部の両側の横片部が設置部材の取付孔を貫通し、取付部の縦片部が設置部材の取付孔に配置された状態において、取付部が収容部の底板部を設置箇所に接触したまま予め定められた回転運動範囲に回されると、収容部の底板部と取付部の両側の横片部とが設置部材の取付孔の周りの設置箇所を挟ことにより設置部材に取り付けられる電線保持具であって、取付部の一方の横片部の上面には取付部を設置部材に回して取り付ける場合に取付部を設置部材の外部から内部の側に引き込むカム部が当該横片部の突出方向に交差する方向の一方側に下り勾配になる斜面として形成され、他方の横片部の上面には取付部を設置部材に回して取り付ける場合に取付部を設置部材の外部から内部の側に引き込むカム部が当該横片部の突出方向に交差する方向の他方側に下り勾配になる斜面として形成されたことを特徴とする電線保持具。
【請求項２】
電線を収容するための上部と前部及び後部の開口した収容部が収容部の底板部から収容部の内部に突出した隔壁で左右に仕切られ、収容部の底板部には底板部から下方に突出した縦片部と縦片部の下部より両側に突出する横片部とを備えた取付部が設けられた電線保持具であり、電線保持具を取り付けるための設置部材には取付部を設置部材の外部から内部に直線的に挿入可能な取付孔が溝又は長孔として形成されており、取付部が設置部材の外部から取付孔に直線的に挿入されて、収容部の底板部が設置部材の取付孔の周りの設置箇所に接触し、取付部の両側の横片部が設置部材の取付孔を貫通し、取付部の縦片部が設置部材の取付孔に配置された状態において、取付部が収容部の底板部を設置箇所に接触したまま予め定められた回転運動範囲に回されると、収容部の底板部と取付部の両側の横片部とが設置部材の取付孔の周りの設置箇所を挟むと共に取付部の縦片部に対し対称に形成された周面カムが設置部材の取付孔の周りの設置箇所に突っ張ることにより設置部材に取り付けられる電線保持具であって、取付部の一方の横片部の上面には取付部を設置部材に回して取り付ける場合に取付部を設置部材の外部から内部の側に引き込むカム部が当該横片部の突出方向に交差する方向の一方側に下り勾配になる斜面として形成され、他方の横片部の上面には取付部を設置部材に回して取り付ける場合に取付部を設置部材の外部から内部の側に引き込むカム部が当該横片部の突出方向に交差する方向の他方側に下り勾配になる斜面として形成されたことを特徴とする電線保持具。
【請求項３】
隔壁で仕切られた一方の収容部の上部には当該収容部の側板部の上部から隔壁の上部の側に向けて徐々に下り勾配となる誘導部が設けられ、隔壁で仕切られた他方の収容部の上部には当該収容部の側板部の上部から隔壁の上部の側に向けて徐々に下り勾配となる誘導部が設けられたことを特徴とする請求項１又は２記載の電線保持具。
【請求項４】
一方の収容部の側の誘導部の他方の収容部の側に隔壁を越えた先端部と、他方の収容部の側の誘導部の一方の収容部の側に隔壁を越えた先端部とには、膨張部が設けられたことを特徴とする請求項３記載の電線保持具。
【請求項５】
一方の収容部の側の側板部及び誘導部と他方の収容部の側の側板部及び誘導部とが互いに収容部の前後方向に互い違いに配置されたことを特徴とする請求項３記載の電線保持具。
【請求項６】
一方の収容部の側の側板部及び誘導部と他方の収容部の側の側板部及び誘導部とが互いに収容部の前後方向の幅に構成されたことを特徴とする請求項３記載の電線保持具。
【考案の詳細な説明】
【技術分野】
【０００１】
本考案は、電線を仕分けして収容することのできる電線保持具に関する。
【背景技術】
【０００２】
電線保持具においては、特許文献１、特許文献２、特許文献３で開示されたように、電線を区分けして収容する構造は公知である。特許文献１で開示された電線保持具４１を図１４で示し、特許文献２で開示された電線保持具の図示は省略し、特許文献３で開示された電線保持具５１を図１５で示して、説明する。
【０００３】
図１４を参照し、特許文献１で開示された電線保持具４１の構造について説明すると、電線保持具４１は本体部材４２とキャップ４３とを着脱可能な別々の部材として備える。本体部材４２は、上部と前部及び後部の開口した角筒形の収容部４４を備える。収容部４４は、収容部４４の底部から上方に突出された隔壁４５で左右に仕切られている。本体部材４２の開口の側の端部には、係留部４６が個別に設けられる。キャップ４３は、本体部材４２の開口を塞ぐ板状に構成される。キャップ４３の両端部には被係留部４７が設けられる。次に、電線保持具４１の使い方について説明すると、キャップ４３が除去された状態において、例えば、或る種類に仕分けられた電線が隔壁４５で仕切られた一方の収容部４４に収容され、別の或る種類に仕分けられた電線が隔壁４５で仕切られた他方の収容部４４に収容される。その後、キャップ４３が本体部材４２の上方の開口を塞ぐように被せられ、被係留部４７と係留部４６とが互いに嵌め合わされることにより、キャップ４３が本体部材４２に結合される。しかしながら、電線保持具４１を使う場合、キャップ４３の取り外しと取り付けとにおいて、係留部４６と被係留部４７とを互いに離脱させたり嵌合させたりする必要があり、手間がかかる。特許文献２で開示された電線保持具も、図示は省略したが、電線保持具を使う場合、図１４の電線保持具４１と同様、手間がかかる。
【０００４】
図１５を参照し、特許文献３で開示された電線保持具５１の構造について説明すると、電線保持具５１は、上部と前部及び後部の開口した丸形の大収容部５２と、大収容部５２の内部に設けられて大収容部５２よりも小形な上部の開口した丸形の小収容部５３とを備える。次に、電線保持具５１の使い方について説明すると、例えば、或る種類に仕分けられた電線が大収容部５２に収容され、別の或る種類に仕分けられた電線が大収容部５２を経由して小収容部５３に収容される。しかしながら、大収容部５２に収容された電線と小収容部５３に収容された電線とが上下に重なるので、収容された電線を識別する性能が劣る。
【０００５】
又、図示は省略したが、特許文献４で開示された電線保持具は、電線保持具の取付部を板状の設置箇所に形成された長孔に挿入して設置箇所に平行な方向に例えば９０度回して取り付ける構造になっている。しかしながら、取付部がカム式に構成されていないので、設置箇所に取り付けられた電線保持具が回りやすく、電線保持具の取付安定性に欠ける。
【先行技術文献】
【特許文献】
【０００６】
【特許文献１】実開平５−２９２２８号公報
【特許文献２】特開平５−２２８２７号公報
【特許文献３】特開平６−５０３９１号公報
【特許文献４】実開平６−７４０２０号公報
【考案の概要】
【考案が解決しようとする課題】
【０００７】
本考案は、上記背景技術に鑑みてなされたものであり、使いやすく、カムにより取付安定性を確保することができる電線保持具を提供することを目的とする。
【課題を解決するための手段】
【０００８】
本考案は、電線を収容するための上部と前部及び後部の開口した収容部が収容部の底板部から収容部の内部に突出した隔壁で左右に仕切られ、収容部の底板部には底板部から下方に突出した縦片部と縦片部の下部より両側に突出する横片部とを備えた取付部が設けられた電線保持具であり、電線保持具を取り付けるための設置部材には取付部を設置部材の外部から内部に直線的に挿入可能な取付孔が溝又は長孔として形成されており、取付部が設置部材の外部から溝又は長孔に直線的に挿入されて、収容部の底板部が設置部材の取付孔の周りの設置箇所に接触し、取付部の両側の横片部が設置部材の取付孔を貫通し、取付部の縦片部が設置部材の取付孔に配置された状態において、取付部が収容部の底板部を設置箇所に接触したまま予め定められた回転運動範囲に回されると、収容部の底板部と取付部の両側の横片部とが設置部材の取付孔の周りの設置箇所を挟むことにより設置部材に取り付けられる電線保持具であって、取付部の一方の横片部の上面には取付部を設置部材に回して取り付ける場合に取付部を設置部材の外部から内部の側に引き込むカム部が当該横片部の突出方向に交差する方向の一方側に下り勾配になる斜面として形成され、他方の横片部の上面には取付部を設置部材に回して取り付ける場合に取付部を設置部材の外部から内部の側に引き込むカム部が当該横片部の突出方向に交差する方向の他方側に下り勾配になる斜面として形成されたことを特徴とする。
【考案の効果】
【０００９】
本考案は、電線保持部の電線を収容するための収容部が上部と前部及び後部に開口しているので、或る種類に仕分けられた電線を一方の収容部に収容することができ、別の或る種類に仕分けられた電線を他方の収容部に収容することができるので、電線保持具が使いやすいうえ、電線保持部の設置部材への取付部の両側の横片部に設けられたカム部により電線保持具の設置部材への取付安定性を確保することができるという効果がある。
また、取付部が収容部の底板部を設置箇所に接触したまま予め定められた回転運動範囲に回された場合、収容部の底板部と取付部の両側の横片部とが設置部材の取付孔の周りの設置箇所を挟むと共に取付部の周面カムが設置部材の取付孔の周りの設置箇所に突っ張った場合、横方向の動きも規正されることから、電線保持具の設置部材への取付安定性をさらに確保することができるという効果がある。
さらに、本考案にあっては、隔壁で仕切られた一方の収容部の上部には当該収容部の側板部の上部から隔壁の上部の側に向けて徐々に下り勾配となる誘導部が設けられ、隔壁で仕切られた他方の収容部の上部には当該収容部の側板部の上部から隔壁の上部の側に向けて徐々に下り勾配となる誘導部が設けられれば、電線を収容部に誘導しやすくなる。
さらにまた、本考案にあっては、一方の収容部の側の誘導部の他方の収容部の側に隔壁を越えた先端部と他方の収容部の側の誘導部の一方の収容部の側に隔壁を越えた先端部とには膨張部が設けられれば、電線を収容部に誘導する場合に誘導部を撓ませやすくなる。
また、本考案にあっては、一方の収容部の側の側板部及び誘導部と他方の収容部の側の側板部及び誘導部とが互いに収容部の前後方向に互い違いに配置されれば、電線を誘導部に斜めに滑らせて収容部に収容しやすくなる。
さらにまた、本考案にあっては、一方の収容部の側の側板部及び誘導部と他方の収容部の側の側板部及び誘導部とが互いに収容部の前後方向の幅に構成されれば、電線の収容部への収容形態が確保できる。
【図面の簡単な説明】
【００１０】
【図１】考案を実施するための形態１に係る電線保持具を示す斜視図。
【図２】考案を実施するための形態１に係る電線保持具を示す正面図。
【図３】考案を実施するための形態１に係る電線保持具を示す右側面図。
【図４】考案を実施するための形態１に係る電線保持具の取付部を図３におけるＸ―Ｘ線にて切断し、右前側から見た斜視図。
【図５】考案を実施するための形態１に係る電線保持具を示す背面図。
【図６】考案を実施するための形態１に係る電線保持具を示す左側面図。
【図７】考案を実施するための形態１に係る電線保持具の取付部を図６におけるＹ−Ｙ線にて切断し、左後側から見た斜視図。
【図８】考案を実施するための形態１に係る電線保持具の設置箇所への取り付けが始まる時の状態を示す模式図。
【図９】考案を実施するための形態１に係る電線保持具の設置箇所への取り付けの途中の状態を示す模式図。
【図１０】考案を実施するための形態１に係る電線保持具の設置箇所への取り付けの終了の状態を示す模式図。
【図１１】考案を実施するための形態１に係る電線保持具の取付部の図３におけるＸ―Ｘ線断面図であり、（Ａ）は取付部を取付孔に挿入した状態、（Ｂ）は取付部を９０度回転させて設置箇所に装着した状態。
【図１２】考案を実施するための形態２に係る電線保持具を右前側から見た斜視図。
【図１３】考案を実施するための形態２に係る電線保持具を示す正面図。
【図１４】従来の電線保持具を示す正面図。
【図１５】別の従来の電線保持具を示す正面図。
【考案を実施するための形態】
【００１１】
本明細書における「前」、「後」、「左」、「右」、「上」、「下」の方向は、図１又は図１０の状態に電線保持具１を置いて矢印１０１で示す前側から見た場合に特定される方向である。
【００１２】
図１を参照し、考案を実施するための形態１に係る電線保持具１の構造について説明する。電線保持具１は、上部と前部及び後部の開口した角形の収容部２を備え、収容部２の底板部３に隔壁４と取付部５とを備える。収容部２は、収容部２の底板部３から上方に突出された隔壁４で左右に一方の収容部６と他方の収容部７とに仕切られている。隔壁４は、本形態１においては底板部３の前縁部と後縁部とにわたり延びた板状である。しかし、隔壁４はその機能を阻害しない範囲で底板部３の前後方向の長さよりも短く形成することができる。一方の収容部６における側板部８と他方の収容部７における側板部９とは、収容部２の前後方向に互い違いに配置された造形である。例えば、側板部８が底板部３の前半部から上方に突出した板状であり、側板部９が底板部３の後半部から上方に突出した板状である。
【００１３】
側板部８には、誘導部１０が側板部８の上部から隔壁４の上部の側に向けて徐々に下り勾配となる板状に設けられる。誘導部１０と隔壁４との間には、隙間が存在する。誘導部１０の隔壁４を左から右に越えた先端部には、膨張部１１が前後方向に延びた棒状に設けられる。膨張部１１と隔壁４との間には、隙間が存在する。側板部９には、誘導部１２が側板部９の上部から隔壁４の上部の側に向けて徐々に下り勾配となる板状に設けられる。誘導部１２と隔壁４との間には、隙間が存在する。誘導部１２の隔壁４を右から左に越えた先端部には、膨張部１３が誘導部１２の前後方向に延びた棒状に設けられる。膨張部１３と隔壁４との間には、隙間が存在する。膨張部１１及び１３は、図２及び図５に示すように、正面視又は背面視において誘導部１０及び１２の先端部が半円状になるよう形成され、それらの半径は、誘導部１０及び１２の板厚の１．２倍程度に形成されているが、膨張部１１及び１３を設けないこともできる。
しかし、膨張部１１及び１３の形状は半円形に限られず、多角形状や楕円形状等であってもよい。そして、誘導部１０の先端部と誘導部１２の先端部とは、正面視、及び、背面視において、隔壁４の上方において交差するように形成されている。さらに詳述すれば、膨張部１１及び１３の根本部が隔壁４の直上に位置し、誘導部１０の膨張部１１が隔壁４に対して誘導部１２の根本側に位置し、誘導部１２の膨張部１３が隔壁４に対して誘導部１０の根本側に位置するよう形成することで誘導部１０の先端部と誘導部１２の先端部とが隔壁４の上方において交差するように形成されている。
【００１４】
図１を参照し、考案を実施するための形態１に係る電線保持具１に或る種類に仕分けられた仮想線で示す電線１５と別の或る種類に仕分けられた仮想線で示す電線１６とを収容する作業について説明する。先ず、電線保持具１よりも前後方向に長い電線１５を一方の収容部６に収容する場合について説明すると、電線１５が誘導部１０及び膨張部１１を避けて誘導部１２の上に斜めに置かれて下方に押される。それに伴い、電線１５が誘導部１２の上を下方に向けて滑って膨張部１３に斜めに受け止められることにより、電線１５を下方に押す力が膨張部１３から誘導部１２に適切に伝わり、誘導部１２及び側板部９が隔壁４の側に撓む。
【００１５】
そして、電線１５が更に下方に向けて滑らされることにより、電線１５の膨張部１３よりも後側の部分が膨張部１３を越えて一方の収容部６に収容される一方、電線１５の膨張部１３よりも前側の部分が誘導部１２から膨張部１３を一方の収容部６の側に越えると共に誘導部１０及び膨張部１１と隔壁４との間の隙間を通過して一方の収容部６に収容された後、側板部８及び誘導部１１が隔壁４から離れる方向に復帰する。これにより、電線１５の一部が一方の収容部６に収容され、当該電線１５の残部が一方の収容部６より前後に出た状態になる。
【００１６】
次に、電線保持具１よりも前後方向に長い電線１６を他方の収容部７に収容する場合について説明すると、電線１６が誘導部１２及び膨張部１３を避けて誘導部１０の上に斜めに置かれて下方に押される。それに伴い、電線１６が誘導部１０の上を下方に向けて滑って膨張部１１に斜めに受け止められることにより、電線１６を下方に押す力が膨張部１１から誘導部１０に適切に伝わり、誘導部１０及び側板部８が隔壁４の側に撓む。
【００１７】
そして、電線１６が更に下方に向けて滑らされることにより、電線１６の膨張部１１よりも前側の部分が膨張部１１を越えて他方の収容部７に収容される一方、電線１６の膨張部１１よりも後側の部分が誘導部１２から膨張部１３を他方の収容部６の側に越えると共に誘導部１０及び膨張部１１と隔壁４との間の隙間を通過して他方の収容部６に収容された後、側板部８及び誘導部１０が隔壁４から離れる方向に復帰する。これにより、電線１６の一部が他方の収容部６に収容され、当該電線１６の残部が収容部６より前後に出た状態になる。
【００１８】
以上のように、或る種類に仕分けられた電線１５を一方の収容部６に収容することができ、別の或る種類に仕分けられた電線１６を他方の収容部７に収容することができるので、電線の収納部６又は７への収納作業が容易であると共に、多数の電線を所定の基準に基づいて収容部６又は７に振分けることにより、特定の電線を探す場合には、収納部６又は７に収納された複数の電線中から探し出せば良いので、特定の電線を探し出し易い。なお、必要に応じ、エア配管等も収納部６又は７に収納することができる。
上記したように、側板部８；９、誘導部１０；１２は弾性が必要であるので、底板部３と共に樹脂成形することが好ましい。
【００１９】
図２乃至図７を参照し、電線保持具１における収容部２の底板部３から下方に突出した取付部５の構造について説明する。図２乃至図７に示すように、取付部５は、縦片部２１と横片部２２；２３とを備える。縦片部２１は、電線保持具１の底板部３下面中央から下方に直線的に突出した板状である。縦片部２１の左右方向の幅は前後方向の幅よりも小さい寸法になっている。横片部２２；２３は、縦片部２１の下端部から左右方向に底板部３と平行に直線的に突出した板状である。横片部２２；２３の上面と底板部３の下面との間の隙間には、電線保持具１を取り付ける部分としての設置箇所が取り込まれるようになっている。
なお、横片部２２；２３と共に設置箇所を挟む底板部３は当該底板部３でも良いし、当該底板部３から僅かに離れた位置において鍔状に突出した弾性を有する狭持体としてもよい。本考案においては、この狭持体も底板部に含むものである。
【００２０】
図２乃至図４に示すように、縦片部２１から左右に突出した両方の横片部２２；２３には、逃げ部２４；２５が個別に設けられる。具体的には、縦片部２１から左側に突出した一方の横片部２２における左端下部には、逃げ部２４が横片部２２の左側から右側への下り勾配になる斜面として形成される。縦片部２１から右側に突出した他方の横片部２３における右端下部には、逃げ部２５が横片部２３の右側から左側への下り勾配になる斜面として形成される。
【００２１】
又、他方の横片部２３における上面２６には、カム部２７が横片部２３の突出方向に交差する方向の一方側に下り勾配になる斜面として形成される。カム部２７は、取付部５を図８に示す設置部材３５に回して取り付ける場合に取付部５を設置部材３５の外部から内部の側に引き込むためのものである。具体的には、図２乃至図４に戻り、他方の横片部２３における上面２６の前半部には、カム部２７が前側に行くに従って徐々に下り勾配になる斜面として形成される。縦片部２１における前後方向の中央部と他方の横片部２３における前後方向の中央部とにわたり凸部２８が形成される。凸部２８の前側には凹部２９が設けられる。
【００２２】
さらに、凸部２８の下端は上面２６とカム部２７との接続部に位置し、それら上面２６及びカム部２７に対し垂立する壁面２８Ｌが形成されている。そして横片部２２の前側における縦片部２１の根本部から壁面２８Ｌへ向けて徐々に半径が増加する周面カム２１Ｒが形成されている。換言すれば、周面カム２１Ｒは図４における縦片部２１の中央を貫通する中心軸線２１Ａを中心とした場合、中心軸線２１Ａと前側における縦片部２１の根本部との距離が最も小さく、かつ、当該中心軸線２１Ａと壁面２８Ｌとの距離が最も大きく設定され、それらの間は中心軸線２１Ａからの距離が徐々に大きくなる曲面に形成されている。このことは、図１１に表示した中心軸線２１Ａを中心とし、縦片部２１の前側端面との距離を半径とする円Ｃとの距離を見れば明らかである。
【００２３】
図５乃至図７に示すように、一方の横片部２２における上面３０には、カム部３１が横片部２２の突出方向に交差する方向の一方側に下り勾配になる斜面として形成される。カム部３１は、取付部５を図８に示す設置部材３５に回して取り付ける場合に取付部５を設置部材３５の外部から内部の側に引き込むものである。具体的には、図５乃至図７に戻り、一方の横片部２２の上面の後半部には、カム部３１が後側に行くに従って徐々に下り勾配になる斜面として形成される。縦片部２１の前後方向の中央部と横片部２２における前後方向の中央部とにわたり、凸部３２が形成される。
さらに、凸部３２の下端は上面３０とカム部３１との接続部に位置する。そした横片部２２における縦片部２１の根本部から凸部３２の左側方に向けて徐々に半径が増加する周面カム２１Ｃが形成されている。換言すれば、周面カム２１Ｃは図７における縦片部２１の中央を貫通する中心軸線２１Ａを中心とした場合、中心軸線２１Ａと後側における縦片部２１の根本部との距離が最も小さく、かつ、当該中心軸線２１Ａと凸部３２の左側方との距離が最も大きく設定され、それらの間は中心軸線２１Ａからの距離が徐々に大きくなる曲面に形成されている。
【００２４】
そして、図１１に示すように周面カム２１Ｒと周面カム２１Ｃと間隔Ｄは、後述の取付孔３６の幅よりも僅かに大きくなるように寸法関係が設定されている。換言すれば、周面カム２１Ｒ及び２１Ｃは、縦片部２１に対し対称に形成され、縦片部２１が取付孔３６に対し直交するような位置関係に有る場合、周面カム２１Ｒと２１Ｃとは当該取付孔３６に進入できるが、縦片部２１が取付孔３６に対し並行する状況においては、当該取付孔３６を構成する壁面に対し密接し、それらを押し広げる関係に設定されている。なお、本形態１において、突部２８と凸部３２とは、中心軸線２１Ａを通ると共に横片部２２；２３の延在方向に延びる仮想直線ＶＬに対しずれて配置されているが、当該仮想直線ＶＬ上に設けることもできる。
【００２５】
図８乃至図１０を参照し、電線保持具１の設置部材３５への取り付け方について説明する。設置部材３５としては、図８及び図９の紙面の表裏の方向に長尺部材を例示した。設置部材３５は、電線保持具１を取り付けるための部材である。設置部材３５には電線保持具１の取付部５を設置部材３５の外部から内部に直線的に挿入可能な溝又は長孔からなる取付孔３６が形成されている。
詳細に説明すれば、設置部材３５は全体として外形が正方形の断面形状を有し、４つの外面は大凡平坦に形成され、当該外面の中央には設置部材３５の延在方向に延びる溝又は長孔からなる取付孔３６が、その中央に形成されている。設置部材３５の断面において、その中心部には正方形の芯部３７が形成され、当該芯部の各角部と外面の角部とは板状体で連結されているため、当該芯部３７と外面との間には、断面が台形状の受入空間３８が形成されている。換言すれば、設置部材３５の取付孔３６の両側には、所定の厚みを有する設置箇所３９；４０が形成されている。設置箇所３９；４０の厚みは、底板部３の下面と、横片部２２の上面３０及び横片部２３の上面２６との間隔よりも僅かに大きく、すなわち、厚く形成されている。電線保持具１を設置部材３５に取り付けた際、底板部３と上面２６；３０とで設置箇所３９；４０を密に挟んで電線保持具１の取付状態を安定させるためである。
【００２６】
電線保持具１を設置部材３５に取り付けるのに際し、電線保持具１の前側が図８の左側に向けられ、電線保持具１の左側面図が図８に図示された状態を例示する。その状態において、電線保持具１の取付部５が矢印で示すように設置部材３５の任意の位置の外部から取付孔３６を経由して設置部材３５の内部（受入空間３８）に直線的に挿入される。この挿入時において、縦片部２１は取付孔３６に対し幅方向に延在、換言すれば、縦片部２１が取付孔３６に対し直交する状態において挿入される。
【００２７】
そして、図９に示すように、電線保持具１の底板部３が設置部材３５の取付孔３６の周りの外面に接触され、一方の横片部２２のカム部２７の前縁が設置部材３５における取付孔３６の周りの設置箇所３９の下面よりも下方（受入空間３８内）に配置される一方、図７に示す他方の横片部２２のカム部３１の前縁３３が図９に示す設置部材３５における取付孔３６の周りの設置箇所４０の下面よりも下方（受入空間３８内）に配置される。
【００２８】
その後、例えば、人為操作で電線保持具１が底板部３を設置箇所３９；４０に接触したまま中心軸線２１Ａを中心に、例えば左側に回されると、図９に示すカム部２７が設置箇所３９における取付孔３６の側の下縁に接触しつつ回る一方、図７に示すカム部３１が図９に示す設置箇所４０における取付孔３６の側の下縁に接触しつつ回されて、取付部５が下方（受入空間３８内）に引き込まれる。
【００２９】
そして、電線保持具１が左側に予め定められた回転運動範囲としての９０度まで回される間に、図９に示す横片部２３の上面２６が設置箇所３９の下面に押し付けられる一方、図７に示す横片部２２の上面３０が図９に示す設置箇所４０の下面に押し付けられる。また、周面カム２１Ｒ及び２１Ｃは、中心軸線２１Ａ回りの回動によって、取付孔３６の幅方向の壁面との距離が徐々に減少する。
【００３０】
更に、電線保持具１が水平面内で左側に予め定められた回転運動範囲として９０度まで回されると、図１０に示すように、底板部３と横片部２２とが設置箇所３９を内外から密に挟み、底板部３と横片部２３とが設置箇所４０を密に挟み、周面カム２１Ｒと２１Ｃとが収納孔３６の幅方向端面に密接し、左右（図１１（Ｂ）においては上下）に突っ張る。このように、図４のカム部２７と図７のカム部３１とにより、電線保持具１の設置部材３５への取付安定性を確保することができる。さらに、周面カム２１Ｒ；２１Ｃによって、取付孔３６において突っ張った場合は、左右方向の移動もできず、更に取付安定性が向上する。したがって、取付体５は僅かに変形されることから、ナイロン（登録商標）樹脂都によって成型することができる。したがって、電線保持具１を電線の保持に適した樹脂材料にて成型し、取付部５を取付に適した樹脂材料によりそれぞれ個別に成型した後、それらを組み合わせて一体化することができ、また、同一の樹脂材にて一体成型することもできる。
また、電線保持具１は、取付部５を設置部材３５の取付孔３６の任意の位置に挿入した後所定方向に回動させることで任意の位置に取り付けられる利点がある。
【００３１】
図１２及び図１３を参照し、考案を実施するための形態２に係る電線保持具１の構造について説明する。図１２に示すように、考案を実施するための形態２に係る電線保持具１は、側板部８；９と誘導部１０；１２と膨張部１１；１３とのそれぞれが底板部３の前後方向の幅に構成された構造、誘導部１０及び膨張部１１が誘導部１２と膨張部１３の下に潜り混んだ構造、膨張部１３は誘導部１２より上方に突出してない構造等が、図１に示す考案を実施するための形態１に係る電線保持具１と相違する。一方、考案を実施するための形態２に係る電線保持具１における取付部５の構造は、図１に示す考案を実施するための形態１に係る電線保持具１における取付部５と同じになっている。
【００３２】
図１２を参照し、考案を実施するための形態１に係る電線保持具１に電線を収容する作業について説明すると、図１１に破線で示すように電線１５が誘導部１２及び膨張部１３を避けて誘導部１０の上に前後方向に長い直線状に置かれて下方に押される。
それに伴い、電線１５を下方に押す力が誘導部１０に適切に伝わり、誘導部１０及び側板部８が隔壁４の側に撓み、誘導部１０と膨張部１３との間に隙間が生じる。
【００３３】
そして、電線１５が更に誘導部１０の上を下方に向けて滑らされることにより、電線１５が誘導部１０と膨張部１３の間の隙間を通って膨張部１３を越えて他方の収容部７の上部に取り込まれると、側板部８及び誘導部１０が隔壁４から離れる方向に復帰する。その後、電線１５が一方の収容部６に収容される場合は、上記他方の収容部７の上部に取り込まれた電線１５が膨張部１３及び誘導部１０と隔壁４との間の隙間を通って一方の収容部６に収容される。一方、上記電線１５と異なる電線１６は前記と同様に他方の収容部７の上部に取り込まれると共に側板部８及び誘導部１０が隔壁４から離れる方向に復帰した後、上記電線１６は他方の収容部７の上部から当該収容部７の底板部３の側へと収容される。これにより、或る種類に仕分けられた電線を一方の収容部６に収容することができ、別の或る種類に仕分けられた電線を他方の収容部７に収容することができるので、実施の形態１と同様の利点がある。
【００３４】
尚、設置部材３５の形状は、図８乃至図１０に示した形状に限定されるものではなく、取付部５が設置部材３５の取付孔３６に入れられて設置部材３５の外面に沿って９０度回されることにより、取付部５の一対のカム部２７；３１により底板部３と一対の横片部２２；２３とが一対の設置箇所３９；４０を密に挟むことができる構造であれば、適用可能である。
【符号の説明】
【００３５】
１は電線保持具、２は収容部、３は底板部、４は隔壁、５は取付部、６；７は収容部、８；９は側板部、１０は誘導部、１１は膨張部、１２は誘導部、１３は膨張部、１４は欠番、１５；１６は電線、１７乃至２０は欠番、２１は縦片部、２２；２３は横片部、２４；２５は逃げ部、２６は上面、２７はカム部、２８は凸部、２９は凹部、３０は上面、３１はカム部、３２は凹部、３３；３４は欠番、３５は設置部材、３６は溝、３７は芯部、３８は受入空間、３９；４０は設置箇所、４１は電線保持具、４２は本体部材、４３はキャップ、４４は収容部、４５は隔壁、４６は係留部、４７は被係留部、４８乃至５０は欠番、５１は電線保持具、５２は大収容部、５３は小収容部。
【図１】
0003187227.tif 000003
【図２】
0003187227.tif 000004
【図３】
0003187227.tif 000005
【図４】
0003187227.tif 000006
【図５】
0003187227.tif 000007
【図６】
0003187227.tif 000008
【図７】
0003187227.tif 000009
【図８】
0003187227.tif 000010
【図９】
0003187227.tif 000011
【図１０】
0003187227.tif 000012
【図１１】
0003187227.tif 000013
【図１２】
0003187227.tif 000014
【図１３】
0003187227.tif 000015
【図１４】
0003187227.tif 000016
【図１５】
0003187227.tif 000017